(57)【特許請求の範囲】
【請求項１】
破砕物を受け取る第１の振動ふるいと、この第１の振動ふるいの網目を通過しない破砕物を受け取る第１の形状選別機と、この形状選別機によってゴム・ウレタン類が選別，除去された破砕物を受け取る比重選別機と、この比重選別機によって選別された軽量の破砕物から鉄分を選別する高密度マグネット選別機と、鉄分が、吸着、分離された破砕物から非鉄金属を選別，除去する渦電流選別機と、非鉄金属が選別，除去された破砕物からゴム・ウレタン類を分離，回収するための第２の形状選別機と、ゴム・ウレタン類が分離，除去された破砕物を取り出してプラスチック破砕部へ送るための取り出し部とより成り、第１の形状選別機が、傾斜コンベアベルトと振動付与部と空気流発生源を備えることを特徴とする破砕物からのゴム・ウレタン類の選別，除去装置。
【請求項２】
上記第１の振動ふるいの網目を通過した破砕物をさらにコイルアンダと細粒プラスチックに分離せしめる第２の振動ふるいを有することを特徴とする請求項１記載の破砕物からのプラスチックとゴム・ウレタン類の選別，除去装置。
【請求項３】
上記第１の形状選別機が傾斜方向下端側から上端側に向って移動走行する傾斜コンベアベルトと、このコンベアベルトの傾斜方向下端側に配置したゴム・ウレタン類受け部と、上記コンベアベルトを振動させる振動付与部と、上記コンベアベルトの上端側両側から下端側に向かう空気流発生源とにより構成され、ゴム・ウレタン類がゴム・ウレタン類受け部内に自然落下して収納され、上記破砕物内の鉄分を含むプラスチックが上記コンベアベルトの上端側に配置された上記比重選別機に送られることを特徴とする請求項１または２記載の破砕物からのゴム・ウレタン類の選別，除去装置。
【発明の詳細な説明】
【技術分野】
【０００１】
本発明は破砕物からのゴム・ウレタン類の選別，除去装置に関するものである。
【背景技術】
【０００２】
冷蔵庫、エアコン等の廃棄物を解体処理した破砕物には多くのプラスチック類が含まれるが、リサイクル対象となる回収プラスチックの選別では不純物であるゴム・ウレタン類の含有比率が高く、リサイクルに支障が出てしまうため廃棄物とされることがあった。
【０００３】
このため、ゴム・ウレタン類とその他（プラスチック、金属等）を極めて効率的に分離、除去する方法が切望されている。
【０００４】
特許文献１では、水分などの液体成分や非プラスチック成分を含むプラスチック混合物から、プラスチック成分を効率よく高収率で分別処理できるシステムとして、気流を用いることが提案されている。
【先行技術文献】
【特許文献】
【０００５】
【特許文献１】特開２００５−６６９５２号公報
【発明の概要】
【発明が解決しようとする課題】
【０００６】
しかし、特許文献１に記載の技術では、プラスチック成分には依然として比重の近いゴム・ウレタン類が含まれてしまうという問題があった。
【０００７】
本発明の目的は破砕物からゴム・ウレタン類を効率よく選別，除去する装置を得ることにある。
【課題を解決するための手段】
【０００８】
本発明の破砕物からのゴム・ウレタン類の選別，除去装置は、破砕物を受け取る第１の振動ふるいと、この第１の振動ふるいの網目を通過しない破砕物を受け取る第１の形状選別機と、この形状選別機によってゴム・ウレタン類が選別，除去された破砕物を受け取る比重選別機と、この比重選別機によって選別された軽量の破砕物から鉄分を選別する高密度マグネット選別機と、鉄分が、吸着、分離された破砕物から非鉄金属を選別，除去する渦電流選別機と、非鉄金属が選別，除去された破砕物からゴム・ウレタン類を分離，回収するための第２の形状選別機と、ゴム・ウレタン類が分離，除去された破砕物を取り出してプラスチック破砕部へ送るための取り出し部とより成り、第１の形状選別機が、傾斜コンベアベルトと振動付与部と空気流発生源を備えることを特徴とする。
【０００９】
また、本発明の破砕物からのゴム・ウレタン類の選別，除去装置においては、上記第１の振動ふるいの網目を通過した破砕物をさらにコイルアンダと細粒プラスチックに分離せしめる第２の振動ふるいを有することを特徴とする。
【００１０】
また、本発明の破砕物からのゴム・ウレタン類の選別，除去装置においては、上記第１の形状選別機が傾斜方向下端側から上端側に向って移動走行する傾斜コンベアベルトと、このコンベアベルトの傾斜方向下端側に配置したゴム・ウレタン類受け部と、上記コンベアベルトを振動させる振動付与部と、上記コンベアベルトの上端側両側から下端側に向かう空気流発生源とにより構成され、ゴム・ウレタン類がゴム・ウレタン類受け部内に自然落下して収納され、上記破砕物内の鉄分を含むプラスチックが上記コンベアベルトの上端側に配置された上記比重選別機に送られることを特徴とする。  
【発明の効果】
【００１１】
本発明の破砕物からのゴム・ウレタン類の選別，除去装置によれば、解体処理された破砕物からゴム・ウレタン類を極めて効率的に分離，除去できるようになる。
【図面の簡単な説明】
【００１２】
【図１】本発明の破砕物からのゴム・ウレタン類の選別，除去装置の平面図である。
【図２】図１に示す破砕物からのゴム・ウレタン類の選別，除去装置の正面図である。
【図３】第１の形状選別機の平面図である。
【図４】第１の形状選別機の正面図である。
【発明を実施するための最良の形態】
【００１３】
以下図面によって本発明の実施例を説明する。
【実施例１】
【００１４】
本発明の破砕物からのゴム・ウレタン類の選別，除去装置は、図１及び図２に示すように廃棄物の破砕用機械室（図示せず）からの破砕物をホッパー１を介して受け取る第１の振動ふるい２と、この第１の振動ふるい２の網目を通過しないゴム・ウレタン類を含む大きな粒径の破砕物を受け取る第１の形状選別機３と、この第１の形状選別機３によってゴム・ウレタン類が選別，除去された破砕物を受け取る比重選別機４と、この比重選別機４によって選別された軽量の破砕物を上昇せしめるためのエレベータ５と、このエレベータ５によって運ばれた破砕物から鉄分を選別するための高密度マグネット選別機６と、鉄分が吸着，分離された破砕物から非鉄金属を選別，除去するための渦電流選別機７と、非鉄金属が選別，除去された破砕物からゴム系物質を分離除去するための第２の形状選別機８と、ゴム系物質が分離，除去された破砕物を取り出（ピッキング）して処理するプラスチック破砕部９と、上記第１の振動ふるい２の網目を通過した破砕物をコイルアンダと細粒プラスチックに分離せしめる第２の振動ふるい１０とにより構成する。
【００１５】
上記形状選別機３は図１、図３及び図４に示すように２０°に傾斜せしめた傾斜方向下端側から上端側に向って移動走行するコンベアベルト１１と、このコンベアベルト１１の傾斜方向下端側に配置したゴム・ウレタン類受け部１２と、上記コンベアベルト１１の上端側両側から下端側中心部に向かう空気流発生源１３と、振動付与部１４により構成し、破砕物内のゴム・ウレタン類がゴム・ウレタン類受け部１２内に自然落下して収納され、鉄分を含む重量の大きいプラスチックがコンベアベルト１１上に着座し、上端側から上記比重選別機４に送られるようにする。
【００１６】
コンベアベルト１１の傾斜は、例えば１０°〜３０°とするのがよい。１０°より緩斜面とすると空気流でゴム・ウレタン類が転がらず受け部１２まで到達しないことがあり、３０°より急斜面とするとプラスチック類までが転がり落ちて受け部１２まで運ばれてしまう。
【００１７】
また、コンベアベルト１１の速度は０．１〜０．５ｍ／ｓ程度がよい。空気流発生源１３からのエア吹出は、１４ｍ／ｓ程度がよい。エアの吹出方向はコンベアベルト進行方向に対して±５〜２５°以下の角度でベルト両端側から吹出されることがよい。ベルト水平面に対して１０°〜４５°の角度を付けてもよい。
【００１８】
更に、振動付与部１４がコンベアベルト１１に与える振動は、例えば、周波数が５〜１００Ｈｚ、振幅が１〜１５ｍｍであることが好ましい。
【符号の説明】
【００１９】
１  ホッパー
２  第１の振動ふるい
３  第１の形状選別機
４  比重選別機
５  エレベータ
６  高密度マグネット選別機
７  渦電流選別機
８  第２の形状選別機
９  プラスチック破砕部
１０  第２の振動ふるい
１１  コンベアベルト
１２  ゴム・ウレタン類受け部
１３  空気流発生源
１４  振動付与部
【図１】
0005791951.tif 000002
【図２】
0005791951.tif 000003
【図３】
0005791951.tif 000004
【図４】
0005791951.tif 000005